(57)【特許請求の範囲】
【請求項１】
回線の極性反転を検出する極性検出手段と、
外付け電話機のフックの状態を検出するオフフック検出手段と、
回線からの呼出信号を検出する呼出信号検出手段と、
オフフック検出用の直流電圧と、前記外付け電話機に擬似呼出信号を供給する供給手段と、
前記外付け電話機およびオフフック検出手段を回線側か、前記供給手段側のいずれかに切り換える第１の切り換え手段と、
回線から送信される着信端末を指定するＤＴＭＦ信号を検出する機能を有するデータ通信手段と、
回線を前記外付け電話機、オフフック検出手段および前記呼出信号検出手段側か、前記データ通信手段側のいずれかに切り換える第２の切り換え手段と、
を有し、
前記第２の切り換え手段により回線を前記外付け電話機、オフフック検出手段および前記呼出信号検出手段側に接続し、かつ、前記第１の切り換え手段により前記外付け電話機およびオフフック検出手段を回線側に接続するよう制御することにより回線を前記外付け電話機、オフフック検出手段および呼出信号検出手段に接続するとともに、前記供給手段の出力をオフに制御し、この回線が前記外付け電話機、オフフック検出手段および呼出信号検出手段に接続された状態において、前記極性検出手段により回線の極性反転が検知されると、前記第１の切り換え手段により前記外付け電話機およびオフフック検出手段を前記供給手段側に接続するとともに、前記供給手段の出力をオンにして前記オフフック検出手段にオフフック検出用電圧を供給し、その後に、前記呼出信号検出手段により回線からの呼出信号が検出されると、前記第２の切り換え手段により回線を前記データ通信手段側に切り換え、前記データ通信手段によりＤＴＭＦ信号が検出されると、該検出されたＤＴＭＦ信号に応じて、前記供給手段により前記外付け電話機に擬似呼出信号を供給するように制御することを特徴とするデータ通信装置。
【発明の詳細な説明】
【０００１】
【発明の属する技術分野】
本発明は、ダイヤルインサービスに対応したデータ通信装置に関する。
【０００２】
【従来の技術】
近年、着信時、局交換機からＤＴＭＦ信号を送信し、線路に接続された複数の端末（たとえば電話機とファクシミリ装置やデータ端末など）のいずれかを着信端末として指定する、いわゆるダイアルインサービスが提供されている。このダイアルインサービスは、構内交換機に相当する機器を用いる必要があるが、ユーザが複数の機器を保有し、またそのそれぞれに直通番号を使用したい場合、手軽に利用できるサービスである。
【０００３】
既存の電話機や、ファクシミリ装置、データ端末などを用いてダイアルインサービスを受けるには、交換機からのＤＴＭＦ信号を解析し、線路に接続された端末を選択する構内交換機に相当する機器を利用するが、外付け電話機を接続できるファクシミリ装置においては、このようなダイアルインサービスに対応したものも考えられている。
【０００４】
【発明が解決しようとする課題】
従来のダイヤルインサービス対応のファクシミリ装置においては、ダイヤルインサービスの極性反転を検知する極反検出回路を設ける他、着信時の呼出信号で外付け電話機を鳴動させることなくダイアルインサービスによる外付け電話機を含む複数の端末への直通着呼を制御するとともに、また、音声メッセージによる自動応答、外付け電話機への着信などの機能を実現するため、スタンバイ時に外付け電話機を回線側ではなくオフフック検出電圧供給側に切り換えておき、外付け電話機のオフフックを検出するためのオフフック検出回路とオフフック検出用の電圧を線路に供給するためのオフフック検出電圧の供給手段により電話機のフックの状態を監視するようにしたものが提案されている。
【０００５】
しかしながら、上記の従来構成は、スタンバイ時にもオフフック検出電圧を供給するようになっていたため、装置のスタンバイ時の消費電力が大きい、という問題があった。
【０００６】
また、従来のダイアルインサービス対応のファクシミリ装置では、ダイヤルインサービスの電話番号を機器に登録すると、ファクシミリへの呼出であればファクシミリに対応した電話番号を示すＤＴＭＦ信号が交換機から送信され、また、外付け電話機への呼出であれば電話機に対応した電話番号を示すＤＴＭＦ信号が交換機から送信されることを予期しており、回線業者からサービスが受けられない状態においては、外付け電話機とファクシミリなどの通信機構の間で正しく着信切り換えが行なえないことがある。ダイアルインサービス申し込み直後から直ちに回線業者からサービスが受けられるようになるとは限らないので、このような構成では直通番号の登録をどの時点で行なうかを考慮する必要があり、ユーザの取り扱いが面倒である、という問題がある。
【０００７】
そこで本発明の課題は、低消費電力で運用でき、またダイヤルインサービスの電話番号を登録した時点で、まだ回線業者からサービスが受けられない状態であっても、外付け電話機とファクシミリなどの通信機構の間で適切な着信切り換えが行なえるデータ通信装置を提供することにある。
【０００８】
【課題を解決するための手段】
上記の課題を解決するため本発明では、回線の極性反転を検出する極性検出手段と、外付け電話機のフックの状態を検出するオフフック検出手段と、回線からの呼出信号を検出する呼出信号検出手段と、オフフック検出用の直流電圧と、前記外付け電話機に擬似呼出信号を供給する供給手段と、前記外付け電話機およびオフフック検出手段を回線側か、前記供給手段側のいずれかに切り換える第１の切り換え手段と、回線から送信される着信端末を指定するＤＴＭＦ信号を検出する機能を有するデータ通信手段と、回線を前記外付け電話機、オフフック検出手段および前記呼出信号検出手段側か、前記データ通信手段側のいずれかに切り換える第２の切り換え手段と、を有し、前記第２の切り換え手段により回線を前記外付け電話機、オフフック検出手段および前記呼出信号検出手段側に接続し、かつ、前記第１の切り換え手段により前記外付け電話機およびオフフック検出手段を回線側に接続するよう制御することにより回線を前記外付け電話機、オフフック検出手段および呼出信号検出手段に接続するとともに、前記供給手段の出力をオフに制御し、この回線が前記外付け電話機、オフフック検出手段および呼出信号検出手段に接続された状態において、前記極性検出手段により回線の極性反転が検知されると、前記第１の切り換え手段により前記外付け電話機およびオフフック検出手段を前記供給手段側に接続するとともに、前記供給手段の出力をオンにして前記オフフック検出手段にオフフック検出用電圧を供給し、その後に、前記呼出信号検出手段により回線からの呼出信号が検出されると、前記第２の切り換え手段により回線を前記データ通信手段側に切り換え、前記データ通信手段によりＤＴＭＦ信号が検出されると、該検出されたＤＴＭＦ信号に応じて、前記供給手段により前記外付け電話機に擬似呼出信号を供給するように制御する構成を採用した。
【００１０】
【発明の実施の形態】
以下、図を参照して本発明の実施の形態を説明する。
【００１１】
図１は、本発明を実施したファクシミリ装置の全体構成を示すブロック図である。
【００１２】
図１において、ＮＣＵ１は、回線の接続を外付け電話機２側かファクシミリ本体側かに切り換えるものであり、詳細は図２にて後述する。
【００１３】
トーン検出部３は、ＣＮＧ（１１００Ｈｚ）やＢＴ（４００Ｈｚ）等のトーンを検出するものであり、ＤＴＭＦ検出部４は、交換機から送信されるダイアルインサービス（あるいは他のサービス）のためのＤＴＭＦ信号を検出するものである。モデム５は、送／受信する画信号の変復調を行うものであり、音声送出部６は、音声メッセージを送出するものである。
【００１４】
制御部７は、ファクシミリ装置全体を制御するものであり、制御の中枢となるＣＰＵ８と、画像を蓄積したり、各種フラグやテーブルを記憶したり、ＣＰＵ８のワークエリアとして使用されるＲＡＭ９と、制御プログラムが書き込まれているＲＯＭ１０と、各種計時用のタイマ１１等が含まれている。
【００１５】
読み取り部１２は、原稿上の画像を読み取るものであり、原稿照明用の光源、原稿搬送系などから構成される。記録部１３は、受信画像等を記録紙に記録するもので、感熱方式、あるいは電子写真方式の記録機構から構成される。操作部１４は、各種表示を行うためのＬＣＤ表示部や各種キー入力用のキーボード等からなるものである。電源部１５は、本ファクシミリ装置全体に電源を供給するものである。
【００１６】
図２は、本実施態様のＮＣＵ１の構成を示すブロック図である。
【００１７】
図２において、ライン対２１は、電話回線に接続されるライン対であり、ライン対２２は、外付け電話機２に接続されるライン対である。極性反転検出回路２３は、回線の極性を検出する回路であり、４０−ａ、４０−ｂは、その出力である。この極性反転検出回路２３は、回線開放時の極性を検出する。回線Ｌ１が＋、回線Ｌ２が−のときは、出力４０−ａが”Ｌ”、出力４０−ｂが”Ｈ”になるとする。回線Ｌ１が−、回線Ｌ２が＋のときは、出力４０−ａが”Ｈ”、出力４０−ｂが”Ｌ”になるとする。ただし、ファクシミリもしくは外付け電話機２で回線を閉じている場合は、出力４０−ａ、４０−ｂは両方とも”Ｌ”とする。
【００１８】
本実施態様では、ＣＰＵ８が極性反転検出回路２３の４０−ａ、４０−ｂのポートをある周期で制御部７が監視している。そして、電源オン時に、４０−ａ、４０−ｂの出力値をＲＡＭ９に記憶し、この極性をノーマルの極性（Ｋ）として、極性の反転および復極を検出する。ただし、電源オン時に４０−ａ、４０−ｂがともに”Ｌ”ならば、ＮＣＵ１のライン対２１に回線が接続されていない事になるので、どちらかの出力が”Ｈ”になった時の極性をノーマルの極性（Ｋ）とする。
【００１９】
ＣＭＬリレー２４は、回線を外付け電話機２側またはファクシミリ本体側に選択的に切り換えるためのリレーであり、直流捕捉回路２５は、ファクシミリ本体の回線捕捉時の直流抵抗値を満足するための回路である。トランス２６は、回線とモデム側を直流的に分離するトランスであり、信号線３８、３９は、送受信信号を図１のモデム５に伝えるためのラインである。
【００２０】
オフフック検出回路３０は、外付け電話機２のオフフックを検出する回路であり、信号線３３を介してオフフック検出信号を制御部７に出力する。オフフック検出回路３０の動作には、Ｈリレー３１をオンにし、疑似ＣＩおよび直流電圧発生回路３２からオフフック検出用の直流が供給される必要がある。
【００２１】
疑似ＣＩおよび直流電圧発生回路３２は、ライン対２２に接続された電話機に対して擬似ＣＩ（呼出信号）を入力させて鳴動させる機能と、ライン対２２に設けられたオフフック検出回路３０の検出に必要な直流を供給する機能に兼用されるものである。
【００２２】
すなわち、疑似ＣＩおよび直流電圧発生回路３２は、制御部７から送られる信号線３４の信号により、およそ＋２４Ｖ〜−１５０Ｖで振動する疑似ＣＩ信号を発生し、外付け電話機２を鳴動させる。つまり、疑似ＣＩおよび直流電圧発生回路３２は、通常の電話機においてＣＩ（呼出）信号を受信した際の状態を擬似的に形成する。
【００２３】
また、疑似ＣＩおよび直流電圧発生回路３２は、疑似ＣＩを発生していないときには、約２４Ｖを供給できるように構成しておく。この回路３２は、制御部７から送られる信号線３５の信号により、この直流電圧を発生する／しないを、選択できるようにしておく。
【００２４】
Ｈリレー３１は、外付け電話機２の接続を回線側、または疑似ＣＩおよび直流電圧発生回路３２側に選択的に切り換えるためのリレーである。
【００２５】
ＣＩ検出回路２９は、回線からのＣＩ（呼出信号）を検出する回路であり、ＣＩ検出信号は信号線３６から制御部７に出力される。
【００２６】
オーディオトランス２７は、トーン検出回路２８と回線とを分離するためのトランスであり、入力インピーダンスが２０ＫΩ程度のものである。このトーン検出回路２８は、ＦＣ（１３００Ｈｚ）を検出するためのもので、信号線３７を介してＦＣ検出信号を制御部７に出力する。
【００２７】
図７は、図１の装置の動作を示すフローチャートである。図示の手順は、制御部７のＣＰＵ８により制御されるもので、ＣＰＵ８のプログラムとしてＲＯＭ１０に格納される。図７中の同一アルファベットの個所はそこで接続されているものとする。
【００２８】
なお、本実施態様ではダイヤルインサービス対応で動作するモードと、従来の動作モードとを、操作部１４のキー入力で選択できるようになっており、図７のフローチャートの開始時点では、既にダイヤルインサービス対応モードが選択されているものとする。
【００２９】
そして、このダイヤルインサービス対応モードでは、予め電話番号”０００１”をファクシミリ用として、電話番号”０００２”を電話用として登録しているものとする。これらの直通番号は、図１のＲＡＭ９、あるいは不図示のＥＥＰＲＯＭなどに登録される。また、これらの直通番号は、着信時に交換機から送信されるものである。
【００３０】
また、このときスタンバイ状態においては、ＣＭＬリレー２４がオフ（外付け電話機２側）、Ｈリレー３１がオフ（回線側）、疑似ＣＩおよび直流電圧発生回路３２はオフ（疑似ＣＩも直流電圧も発生していない）になっている。
【００３１】
まず、スタンバイ状態において回線からの極性反転があるかどうかを監視しており（ステップＳ１）、極性反転が無い場合、オフフック検出回路３０の出力３３によって、外付け電話機２がオフフックされたかどうかをチェックする（ステップＳ２）。そして、オフフックを検出したら、外付け電話機２の通話時の処理を行う（ステップＳ４）。オフフックが検出されなかったら、１００ｍｓ ウェイトした後（ステップＳ３）スタンバイ状態に戻る。なお、（ステップＳ３）のウェイト時間は、状態の監視に不具合の出ない範囲において、変更は可能である。
【００３２】
上記（ステップＳ１）において、極性反転検出回路２３の出力（４０−ａ、４０−ｂ）により極性反転が検出された場合（Ｋ）、リモート信号３５をオンにし、疑似ＣＩおよび直流電圧発生回路３２から直流電圧を発生し、Ｈリレーをオン（疑似ＣＩおよび直流電圧発生回路３２側）にする（ステップＳ５）。
【００３３】
次に、タイマー１をスタートさせ（ステップＳ６）、ＣＩ検出回路２９の出力３６によって、回線からＣＩ（呼出信号）が到来したかどうかをチェックする（ステップＳ７）。ここでは、タイマ１の計時時間Ｔ１＝５秒とするが、変更は可能である。
【００３４】
ＣＩが検出されなかったら、タイマー１の設定時間を過ぎているかどうかを、チェックする（ステップＳ８）。タイマー１の計時時間が経過していなければ、再びＣＩのチェックを行う（ステップＳ７）。過ぎていれば、Ｈリレーをオフ（回線側）にして、リモート信号３５をオフにして、疑似ＣＩおよび直流電圧発生回路３２からの直流電圧を停止する（ステップＳ３０）。その後、極性を記憶して（ステップＳ３１）、スタンバイ状態に戻る。
【００３５】
上記（ステップＳ７）において、ＣＩが検出されれば、ＣＭＬリレー２４をオン（ＦＡＸ側）にする（ステップＳ９）。
【００３６】
次に、タイマー２をスタートさせ（ステップＳ１０）、交換機から送られてくるＤＴＭＦ信号を検出する（ステップＳ１１）。このＤＴＭＦ信号は、ダイヤルインサービス契約している４桁の電話番号である。ここで、タイマ２の計時時間Ｔ２＝３秒とするが、変更は可能である。
【００３７】
上記（ステップＳ１１）において、ＤＴＭＦ信号が検出できなければ、ＣＮＧ信号の検出を行う（ステップＳ１６）。ＣＮＧが検出できなければ、タイマー２の設定時間を過ぎているかどうかの、チェックを行う（ステップＳ１７）。タイマー２の計時時間が経過していなければ、再びＤＴＭＦ信号のチェックを行う。タイマー２の計時時間が経過したか、ＣＮＧが検出された場合は、従来同様にファクシミリへの切り換えの処理を行う（ステップＳ１８）。
【００３８】
上記ステップＳ１１において、ＤＴＭＦ信号を検出すれば、そのときの極性（Ｋ）を記憶して（ステップＳ１２）、ＣＭＬリレー２４をオフ（外付け電話機２側）にする（ステップＳ１３）。そして、検出したＤＴＭＦ信号と登録されている電話番号とを比較し（ステップＳ１４）、検出したＤＴＭＦ信号が、ダイアルインサービスのファクシミリ用の電話番号（本実施態様では”０００１”）ならば、ファクシミリ通信の処理を行う（ステップＳ１５）。
【００３９】
検出したＤＴＭＦ信号がダイアルインサービスの電話機用の番号（本実施態様では”０００２”）ならば、外付け電話機２がオフフックされているかどうかをチェックし（ステップＳ１９）、オフフックされていればオンフックされるのを待つ、オンフックされていれば疑似ＣＩの送出を行う（ステップＳ２０）。
【００４０】
次に、タイマー３をスタートさせ（ステップＳ２１）、極性反転を検出する（ステップＳ２２）。相手が通信を途中放棄した場合は、回線の復極（Ｋ）が行われる。なお、タイマ３の計時時間Ｔ３＝６０秒とするが、変更は可能である。
【００４１】
この復極が検出された時には、疑似ＣＩを停止して（ステップＳ２３）、Ｈリレーをオフ（回線側）にして、リモート信号３５をオフにして、疑似ＣＩおよび直流電圧発生回路３２からの直流電圧を停止する（ステップＳ３０）。その後、極性を記憶して（ステップＳ３１）、スタンバイ状態に戻る。
【００４２】
復極が検出されない時は、外付け電話機２がオフフックされたかどうかをチェックする（ステップＳ２４）。そして、オンフックであるならば、タイマー３の設定時間を過ぎているかどうかのチェックを行う（ステップＳ３２）。過ぎていなければ、再び、極性反転のチェックを行う（ステップＳ２２）。
【００４３】
上記（ステップＳ３２）において、タイマー３の設定時間を過ぎていた時には、疑似ＣＩの送出を停止して（ステップＳ３３）、Ｈリレーをオフ（回線側）にして、リモート信号３５をオフにして、疑似ＣＩおよび直流電圧発生回路３２からの直流電圧を停止する（ステップＳ３４）。そして、ＣＭＬリレー２４をオン（ＦＡＸ側）にして、音声送出部６より「ただ今留守です、後ほどお掛け直し下さい。」というメッセージを送出して（ステップＳ３６）、ＣＭＬリレー２４をオフ（外付け電話機２側）にする（ステップＳ３７）。その後、極性を記憶して（ステップＳ３１）、スタンバイ状態に戻る。
【００４４】
上記（ステップＳ２４）において、オフフックが検出された時は、疑似ＣＩの送出を停止して（ステップＳ２５）、Ｈリレーをオフ（回線側）にして、リモート信号３５をオフにして、疑似ＣＩおよび直流電圧発生回路３２からの直流電圧を停止する（ステップＳ２６）。そして、外付け電話機２での通話中は（ステップＳ２７）、オフフック検知を行い（ステップＳ２８）、オンフックされたならば通話が終了したと判断して（ステップＳ２９）、極性を記憶して（ステップＳ３１）、スタンバイ状態に戻る。
【００４５】
次に、図３〜図６のタイムチャートを用いて、ダイヤルインサービスにおける、本実施態様のリレーの動作と回線の極性、疑似ＣＩおよび直流電圧発生回路３２からの送出電圧の変化を説明する。
【００４６】
図３は、電話番号”０００１”（ファクシミリ）への着呼の場合を示している（図７のステップＳ１〜Ｓ７〜Ｓ１１〜Ｓ１４〜Ｓ１５に相当）。
【００４７】
図３において、１０１−ａは、回線の極性の変化を、１０２−ａは、ＣＭＬリレーの動作、１０３−ａは、Ｈリレーの動作、１０４−ａは、疑似ＣＩおよび直流電圧発生回路３２からの電圧の変化を表す。
【００４８】
また、ｔ１は、極性反転するタイミングであり、ｔ２は、それによりリモート信号３５とＨリレーをオンするタイミングである。また、極性反転の後に、ＣＩが着信し、ＣＩ検出回路２９の出力３６がオンになるので、制御部７では、着信した信号がＣＩかどうかをチェックする。そして、ｔ３の時点で、ＣＩであることが確定すると、ＣＭＬリレー２４をオンにして、回線を捕捉する（１次応答）。
【００４９】
この後、交換機から電話番号の下４桁がＤＴＭＦ信号として送られてくるので、ＤＴＭＦ検出部４でこれを検出する。ｔ３からＴ１（本実施態様では、５００ｍｓ）時間の間で検出を完了して、ｔ４の時点で、ＣＭＬリレー２４をオフにして、直流ループを断つ。なお、Ｔ１は、約２．１秒以内にする必要がある。
【００５０】
続いて、Ｔ２（本実施態様では５００ｍｓ）時間の間、検出したＤＴＭＦ信号を登録されている電話番号と比較する。この場合は、”０００１”を受信しており、登録しているファクシミリ用の電話番号なので、ｔ５の時点で再びＣＭＬリレー２４をオンにして、ファクシミリ受信に移る。なお、ｔ５で回線を捕捉すると回線の極性は復極する（２次応答）。
【００５１】
次に、図４は、電話番号”０００２”（電話）への着呼の場合を示している（図７のステップＳ１〜Ｓ７〜Ｓ１１〜Ｓ１４〜Ｓ１９〜Ｓ２３〜Ｓ２４〜Ｓ２５〜に相当）。
【００５２】
図４において、１０１−ｂは、回線の極性の変化を、１０２−ｂは、ＣＭＬリレーの動作、１０３−ｂは、Ｈリレーの動作、１０４−ｂは、疑似ＣＩおよび直流電圧発生回路３２からの電圧の変化を表す。また、ｔ１、ｔ２、ｔ３、ｔ４は、上記と同じタイミングである。
【００５３】
続いて、Ｔ２（本実施態様では５００ｍｓ）時間の間、検出したＤＴＭＦ信号を登録されている電話番号と比較する。この場合は、”０００２”であり、登録している電話用の電話番号なので、ｔ５の時点で、疑似ＣＩおよび直流電圧発生回路３２より疑似ＣＩを発生して外付け電話機２を鳴動させる。ｔ６の時点で外付け電話機２がオフフックされると、Ｈリレーをオフにする。その時点で再び直流ループが形成されるので、回線の極性は復極する（２次応答）。また、疑似ＣＩを停止して、リモート信号３５をオフにして、直流電圧もオフする。
【００５４】
図５は、図４と同様にダイアルインサービスの電話番号”０００２”が送信された場合であるが、電話に誰も出ないで発呼側が電話を切った場合を示している（図７のステップＳ１〜Ｓ７〜Ｓ１１〜Ｓ１４〜Ｓ１９〜Ｓ２２〜Ｓ２３に相当）。
【００５５】
図５において、１０１−ｃは、回線の極性の変化を、１０２−ｃは、ＣＭＬリレーの動作、１０３−ｃは、Ｈリレーの動作、１０４−ｃは、疑似ＣＩおよび直流電圧発生回路３２からの電圧の変化を表す。また、ｔ１、ｔ２、ｔ３、ｔ４、ｔ５は、図４と同じタイミングである。
【００５６】
図５では、ｔ６の時点で発呼側が電話を切って回線を開放したため、回線の極性は復極する。本実施態様のファクシミリ側では、ｔ６の時点で極性反転検出回路２３によって、極性が復極した事を検出して、疑似ＣＩを停止して、リモート信号３５をオフにして、直流電圧をオフする。
【００５７】
図６も、図４と同様にダイアルインサービスの番号”０００２”が送信された場合であるが、一定時間以上電話に誰も出なかった場合を示している（図７のステップＳ１〜Ｓ７〜Ｓ１１〜Ｓ１４〜Ｓ１９〜Ｓ２３〜Ｓ２４〜Ｓ３２〜Ｓ３３〜に相当）。
【００５８】
図６において、１０１−ｄは、回線の極性の変化を、１０２−ｄは、ＣＭＬリレーの動作、１０３−ｄは、Ｈリレーの動作、１０４−ｄは、疑似ＣＩおよび直流電圧発生回路３２からの電圧の変化を、１０５は音声送出を表す。また、ｔ１、ｔ２、ｔ３、ｔ４、ｔ５は、上記と同じタイミングである。
【００５９】
ｔ６の時点で、ｔ５から一定時間（Ｔ３）以上経った（タイマー３がタイムオーバーする）ならば、疑似ＣＩを停止して、リモート信号３５をオフにして、直流電圧をオフする。また、Ｈリレーもオフにする。次に、ｔ７の時点で、ＣＭＬリレーをオフにする。その時点で再び直流ループが形成されるので、回線の極性は復極する（２次応答）。そして音声送出部６よりメッセージを送出する。そして、ｔ８の時点でメッセージの送出は終了し、回線を開放する。
【００６０】
上記の実施形態によれば、ダイヤルインサービスの契約をした場合、装置のスタンバイ時、外付け電話機を回線側に接続して、オフフック検知電圧供給手段の出力をオフにしておき、極性反転が検知された時に疑似ＣＩおよび直流電圧発生回路３２の出力をオンにして、オフフック検知電圧を供給し、外付け電話機をオフフック検知電圧供給側に切り換えることにより、必要な時のみオフフック検知電圧を供給でき、ダイヤルインサービスの着信時の無鳴動着信を実現し、スタンバイ時の装置の消費電力を少なくすることができる。
【００６１】
また、ダイヤルインサービスの電話番号を登録した時点で、まだサービスが受けられない状態であっても、通常の方式で（以前より使用していた電話番号に）着信した場合、従来同様のファクシミリ／電話の切り換えが可能であり、ファクシミリと電話をスムーズに切り換えることができる。
【００６２】
なお、以上では、外付け電話機を接続可能なファクシミリ装置を実施例としたが、ファクシミリ装置の部分がコンピュータシステムなどのデータ処理装置であってもよく、装置が実行する音声通信以外の通信が上記の実施形態に限定されないことはいうまでもない。
【００６３】
【発明の効果】
以上の説明から明らかなように、本発明によれば、着信制御に必要な時にオフフック検出用の直流電圧と、前記外付け電話機に擬似呼出信号を供給する供給手段の出力をオンできるようにしているので、スタンバイ時の電力消費が少なくて済む経済的なデータ通信装置を提供することができる。
【図面の簡単な説明】
【図１】本発明を採用したファクシミリ装置の全体構成を示すブロック図である。
【図２】図１のＮＣＵ部分の構成を示すブロック図である。
【図３】図１の構成において、ファクシミリに着信する場合の動作を示したタイムチャート図である。
【図４】図１の構成において外付け電話機に着信し、通話が行なわれる場合の動作を示したタイムチャート図である。
【図５】図１の構成において外付け電話機に着信し、発呼側が電話を切った場合の動作を示したタイムチャート図である。
【図６】図１の構成において外付け電話機に着信し、一定時間応答がなく音声メッセージを送信する場合の動作を示したタイムチャート図である。
【図７】図１の構成における着信制御を示したフローチャート図である。
【符号の説明】
１  ＮＣＵ
２  外付け電話機
３  トーン検出部
４  ＤＴＭＦ検出部
５  モデム
６  音声送出部
７  制御部
８  ＣＰＵ
９  ＲＡＭ
１０  ＲＯＭ
１１  タイマ
１２  読取部
１３  記録部
１４  操作部
１５  電源部
２１  ライン対
２２  ライン対
２３  極性反転検出回路
２４  ＣＭＬリレー
２５  直流捕捉回路
２６  トランス
２７  オーディオトランス
２８  トーン検出回路
２９  ＣＩ検出回路
３０  オフフック検出回路
３１  Ｈリレー
３２  疑似ＣＩおよび直流電圧発生回路
３２  直流電圧発生回路
【図１】
0003542421.tif 000002
【図２】
0003542421.tif 000003
【図３】
0003542421.tif 000004
【図４】
0003542421.tif 000005
【図５】
0003542421.tif 000006
【図６】
0003542421.tif 000007
【図７】
0003542421.tif 000008